(57)【要約】【課題】ガスバーナの上方に何らかの障害物がある場合、ガスバーナが点火しないようにし、或いは、点火中の場合は、フレームを消すようにして、術者が火傷をしたり、物を焦がしたりしてしまう危険を防止する。【解決手段】プロテクタ（フレームガイド）５は、フレーム（炎）用の穴５ａを有し、このフレーム用の穴５ａのまわりに所定の間隔を置いて複数の反射型光センサ１１〜１２を有する。これら光センサの上方に障害物が検出された時は、ガスが点火しないようにし、あるいは、ガスの供給を停止して、火を消す。【選択図】図１
2010104587.tif 000002
【特許請求の範囲】
【請求項１】
フレーム筒の上部にフレーム穴を有するプロテクタを有する歯科用ガスバーナにおいて、前記プロテクタは、前記フレーム穴のまわりに所定の間隔を置いて複数の反射型光センサを有し、該光センサの上方に障害物が検出された時は、前記フレーム筒へのガスの供給を停止することを特徴とする歯科用ガスバーナ。
【請求項２】
前記複数の光センサのうち、少なくとも２以上の所定数の光センサが同時に障害物を検出した時に、前記フレーム筒へのガスの供給を停止するようにしたことを特徴とする請求項１に記載の歯科用ガスバーナ。
【請求項３】
前記光センサを３個有し、そのうちの２個が障害物を検出した時に、前記フレーム筒へのガスの供給を停止するようにしたことを特徴とする請求項２に記載の歯科用ガスバーナ。
【発明の詳細な説明】
【技術分野】
【０００１】
本発明は、歯科用ガスバーナ、より詳細には、ガスバーナの上方に何らかの障害物がある場合、ガスバーナが点火しないようにし、或いは、点火中の場合は、フレーム（炎）を消すようにして、術者が火傷をしたり、物を焦がしたりしてしまう危険を防止するようにしたものである。
【背景技術】
【０００２】
図３は、本発明が適用される従来の歯科用ガスバーナの一例を説明するための概略構成図で、図中、１はバーナ支持管、２は点火栓支柱、３は点火栓制御ボックス、４はカバー、５はプロテクタで、図３（Ａ）は、カバー４を開いた状態を示し、図２（Ｂ）は、カバー４を閉じた状態を示している。このガスバーナは、周知のように、バーナ支持管１の下方にガスを噴射するためのノズルが設けられており、該ノズルより噴射されたガスがバーナ支持管１内を上昇し、該バーナ支持管１の上部に設けられたフレーム（flame）筒６で燃焼する。ガスを燃焼させるためには、点火栓７とフレーム筒６の略中心部に設けられた放電端子８との間に火花放電を発生させ、フレーム筒６中より放出されるガスを点火させる。プロテクタ５は、フレーム筒６の上部にフレーム用の穴５ａを有し、この穴５ａを通してフレームが上昇する。
【０００３】
このガスバーナは、歯科治療において、主として、ワックス（ストッピング）を軟化（操作）するために使用されるが、その他、種々の用途に使用される。
【発明の開示】
【発明が解決しようとする課題】
【０００４】
上述のごとき従来の歯科用ガスバーナにおいては、ガスバーナ上部に人の手や物があるときでも点火してしまい、火傷や物を焦がしてしまう危険性があった。また、ガス点火中にガスバーナを移動させてガスバーナが障害物の下に入り込んでしまったような時などにも、火傷をしたり物を焦がしたりする危険性があった。
【０００５】
本発明は、上述のごとき実情に鑑みてなされたもので、プロテクタ（フレームガイド）上面に複数の光センサを設置してガスバーナの上部にある障害物を検出し、ガスバーナ上方に障害物がある場合は、点火しても火はつかない、また、点火中にフレーム上方に障害物が検出された時には、消火するようにして火傷や物を焦がしてしまう危険を防止し、更には、複数の光センサのうち、所定の複数の光センサが反応した時、具体的には、３つの光センサを取り付け、この３つの光センサのうち２つ以上の光センサが反応した時に、消火装置が働くようにし、通常使用時に消火装置が働いてしまう誤作動の可能性を低くするようにしたものである。
【課題を解決するための手段】
【０００６】
請求項１の発明は、フレーム筒の上部にフレーム穴を有するプロテクタを有する歯科用ガスバーナにおいて、前記プロテクタは、前記フレーム穴のまわりに所定の間隔を置いて複数の反射型光センサを有し、該光センサの上方に障害物が検出された時は、前記フレーム筒へのガスの供給を停止することを特徴としたものである。
【０００７】
請求項２の発明は、請求項１の発明において、前記複数の光センサのうち、少なくとも２以上の所定数の光センサが同時に障害物を検出した時に、前記フレーム筒へのガスの供給を停止するようにしたことを特徴としたものである。
【０００８】
請求項３の発明は、請求項２の発明において、前記光センサを３個有し、そのうちの２個が障害物を検出した時に、前記フレーム筒へのガスの供給を停止するようにしたことを特徴としたものである。
【発明の効果】
【０００９】
本発明によると、光センサでフレームガイド（プロテクタ）上部の障害物を検出することにより、誤ってバーナの火で物を燃やしたり、人が火傷する等の危険性をなくすことができる。
【発明を実施するための最良の形態】
【００１０】
図１は、本発明による歯科用ガスバーナの一実施例を説明するための外観図で、図中、１１，１２，１３は、本発明によって付加された光センサを示し、その他は、図３に示した従来のガスバーナと同じであるので、図３の場合と同一の作用をする部分には同一の参照番号を付し、その内部構造についての開示は省略する。
【００１１】
本発明においては、図１に示すように、プロテクタ５のフレーム穴５ａのまわりに、所定の間隔をもって複数個（図示例の場合は、３個）の周知の反射型の光センサ１１〜１３を有し、上方に向けて光（赤外線、紫外線でもよい）を発し、上方に何らかの障害物があった場合、その障害物から反射光を受光し、受光した反射光によって、上方に障害物があるか否かを検出する。
【００１２】
光センサによって障害物があると判断された時は、ガスバーナを点火しないようにし、或いは、点火中に、例えば、術者の手がフレームの上方にきた時、或いは、ガスバーナを移動すること等によって、フレーム（炎）の上方に障害物が存在することになった時など、フレームを消し（ガスの供給を止め）、それによって、物が燃えたり、焦げたりするようなこと、或いは、術者が火傷をするようなことをなくすことができる。
【００１３】
光センサは、図１に点線にて付加して示すように、フレーム穴５ａのまわりに多数個設けることも可能であるが、使用に当って、術者は、図２に示すように、インスツルメント２０の先端をフレームに近づけて、例えば、ワックス等を軟化させる作業を行うため、光センサ間の間隔は、少なくとも、インスツルメント２０の太さ以上の間隔を必要とし、また、作業中、被作業物であるワックスの軟化状態を見るために、インスツルメントをある程度横方向（水平方向）にも移動すること等を考えると、光センサ間の間隔は、ある程度余裕をもって広くしておく必要がある。
【００１４】
また、作業中、インスツルメントを横方向に移動した時に、該インスツルメントが光センサの上方を横切ってしまうことがあり、その場合に、その都度、フレームを消してしまっていたのでは、所期の作業目標を達成することが困難になる。
【００１５】
上述のごとき使い勝手を考慮すれば、光センサは、図示のように、３個を略等間隔に設け、しかも、そのうちの２個が同時に障害物を検知した時に、フレーム（炎）を消すようにすれば、作業中、インスツルメントが光センサ１１の上部、或いは、光センサ１２の上部にきたとしても、フレームが消えるようなことはなく、術者は光センサに気を使うことなく、作業に集中することができる。
【図面の簡単な説明】
【００１６】
【図１】本発明による歯科用ガスバーナの一実施例を説明するための外観図である。
【図２】術者がインスツルメントを使用する時の様子を示す図である。
【図３】本発明が適用される従来の歯科用ガスバーナの一例を説明するための図で、図３（Ａ）は、カバーを開いた状態を示す図、図３（Ｂ）は、カバーを閉じた状態を示す図である。
【符号の説明】
【００１７】
５…プロテクタ（フレームガイド）、５ａ…フレーム穴、６…フレーム筒、１１〜１２…光センサ。
【図１】
2010104587.tif 000003
【図２】
2010104587.tif 000004
【図３】
2010104587.tif 000005